【手続補正書】
【提出日】平成18年6月8日(2006.6.8)
【手続補正１】
【補正対象書類名】特許請求の範囲
【補正対象項目名】全文
【補正方法】変更
【補正の内容】
【特許請求の範囲】
【請求項１】
広帯域ネットワークを通じて複数のデータ供給源から得たデータの表示を可能にし、前記データ供給源の少なくとも一方が、前記広帯域ネットワーク上でデータをブロードキャストするデータ供給源を含み、前記データ供給源の他方をユーザによってローカルに選択することができる装置において、
前記装置内のメモリに記憶されたデータ構造であって、前記装置によって実行されたときに、前記装置が、ユーザによってローカルに選択された前記データ供給源の前記他方からデータを取り込むのを可能にするアプリケーションを表すデータ構造を含む装置。
【請求項２】
前記装置は非揮発性記憶装置をさらに含み、前記データ構造は前記揮発性記憶域に記憶される、請求項1に記載の装置。
【請求項３】
前記装置は記憶域をさらに含み、前記データ構造は、前記装置が作動したときに前記広帯域ネットワークを通じてリモート・コンピューティング装置からダウンロードされる、請求項1に記載の装置。
【請求項４】
前記装置は記憶域をさらに含み、前記データ構造は、前記装置を操作するユーザが前記アプリケーションの使用を試みたときに前記広帯域ネットワークを通じてリモート・コンピューティング装置からダウンロードされる、請求項1に記載の装置。
【請求項５】
前記広帯域ネットワークはインタネットに接続されており、前記データ供給源の前記他方はインタネットに接続されている、請求項1に記載の装置。
【請求項６】
前記装置は、前記データ供給源の前記他方からデータを取り込むのに必要な実質的にすべての計算タスクを実行できるように構成されている、請求項1に記載の装置。
【請求項７】
前記装置は、前記データ構造に含まれるエージェント・ベース・ソフトウェアを用いて前記データ供給源の前記他方からデータを取り込む、請求項1に記載の装置。
【請求項８】
前記装置はCPEデバイスを含む、請求項1に記載の装置。
【請求項９】
前記装置は、外部ネットワーク・コンテントを取り込み表示することができる、請求項1に記載の装置。
【請求項１０】
インタネットに接続されたパーソナル・コンピュータをさらに含み、前記広帯域ネットワークを介してユーザのパーソナル・コンピュータと前記装置との間でデータを転送することができる、請求項1に記載の装置。
【請求項１１】
前記データは個人化されたアプリケーション設定を含む、請求項10に記載の装置。
【請求項１２】
前記データはアプリケーション修正を含む、請求項10に記載の装置。
【請求項１３】
前記アプリケーション修正は、アプリケーションに新しい機能を追加する新しいスクリプトを含む、請求項12に記載の装置。
【請求項１４】
前記アプリケーション修正は、アプリケーションのすでに存在している機能を修正する置換スクリプトを含む、請求項12に記載の装置。
【請求項１５】
前記アプリケーション修正は、外部供給源から新しい情報を取り込む新しいソフトウェア・エージェントの追加を含む、請求項12に記載の装置。
【請求項１６】
前記外部供給源はインタネットである、請求項15に記載の装置。
【請求項１７】
前記外部供給源はイントラネットである、請求項15に記載の装置。
【請求項１８】
前記アプリケーション修正は、ローカル表示デバイス上に新しい情報を表示する新しいソフトウェア・エージェントの追加を含む、請求項12に記載の装置。
【請求項１９】
前記装置は、外部ネットワークから取り込まれた情報の個人化された選択肢を表示デバイスに関連して表示するようになっている、請求項1に記載の装置。
【請求項２０】
前記情報は、ユーザによってカスタマイズ可能な1つまたは複数の地域に関するニュース・ヘッドラインを含む、請求項19に記載の装置。
【請求項２１】
前記情報は、ユーザによってカスタマイズ可能な1つまたは複数の地域に関する天気予報を含む、請求項19に記載の装置。
【請求項２２】
前記情報は、選択されたスポーツ、リーグ、およびチームに関するスポーツ・ニュースおよびスコアを含む、請求項19に記載の装置。
【請求項２３】
前記情報は選択された株価を含む、請求項19に記載の装置。
【請求項２４】
前記情報はeメール・メッセージを含む、請求項19に記載の装置。
【請求項２５】
広帯域ネットワークと、
前記広帯域ネットワークに接続されたサーバと、
前記広帯域ネットワーク上で前記サーバとカスタマイズ可能な対話を行う複数のデバイスであって、前記各デバイスが、ディスプレイに接続可能であり、前記ディスプレイに、前記広帯域ネットワーク上で各デバイスにブロードキャストされるコンテントを示させるようになっており、前記各デバイスがデータ構造を含み、すなわち、実行されたときに、前記デバイスが、前記広帯域ネットワークと対話して少なくとも1つのカスタマイズ可能な対話型コンピュータ・サービスを提供するのを可能にするアプリケーションを表すデータ構造を含む複数のデバイスとを含むシステム。
【請求項２６】
前記カスタマイズ可能な対話型コンピュータ・サービスは、インタネットからのデータのカスタマイズ可能な取込みを含む、請求項２５に記載のシステム。
【請求項２７】
前記デバイスは、前記カスタマイズ可能な対話型コンピュータ・サービスを実現するのに必要な実質的にすべての計算タスクを実行できるように構成されている、請求項２５に記載のシステム。
【請求項２８】
広帯域ネットワークの帯域幅利用を最適化するように構成されたサポート・サーバをさらに含む、請求項２５に記載のシステム。
【請求項２９】
デバイスの機能を増強する必須ではないサポート・サービスを提供するように構成されたサポート・サーバをさらに含む、請求項２５に記載のシステム。
【請求項３０】
前記サポート・サーバはさらに、カスタマイズされたアプリケーション初期設定を記憶する前記複数のローカル・ユーザ・ユニット・デバイスにリモート持続記憶サービスを提供するように構成されている、請求項２９に記載のシステム。
【請求項３１】
前記サポート・サーバはさらに、カルーセル・データを繰り返し前記複数のデバイスに同時にブロードキャストするデータ・カルーセル・サービスを提供するように構成されている、請求項２９に記載のシステム。
【請求項３２】
前記サポート・サーバは、前記複数のデバイスのそれぞれのユーザの初期設定データを記憶し、前記カルーセル・データは、少なくとも部分的に前記初期設定に基づいて選択される、請求項３１に記載のシステム。
【請求項３３】
前記デバイスはCPEデバイスである、請求項２９に記載のシステム。
【請求項３４】
前記CPEデバイスは、IPプロトコルを用いて、ユーザが前記カスタマイズされた初期設定データに変更を施した後で、カスタマイズされた初期設定データを前記サポート・サーバにアップロードし、前記カスタマイズされた初期設定データを前記サポート・サーバからダウンロードするように構成されている、請求項３３に記載のシステム。
【請求項３５】
前記CPEデバイスは、前記広帯域ネットワークを通じて外部IPベース・ネットワークにも接続されている、請求項３３に記載のシステム。
【請求項３６】
前記外部IPベース・ネットワークは、複数のネットワーク・データ供給源にも接続されている、請求項３５に記載のシステム。
【請求項３７】
前記広帯域ネットワークは有線ネットワークである、請求項２５に記載のシステム。
【請求項３８】
前記広帯域ネットワークは無線ネットワークである、請求項２５に記載のシステム。
【請求項３９】
前記広帯域ネットワークはケーブル・テレビジョン・ネットワークを含む、請求項２５に記載のシステム。
【請求項４０】
前記広帯域ネットワークは衛星テレビジョン・ネットワークを含む、請求項２５に記載のシステム。
【請求項４１】
前記広帯域ネットワークはローカル・エリア・ネットワーク（LAN）を含む、請求項２５に記載のシステム。
【請求項４２】
前記広帯域ネットワークはワイド・エリア・ネットワーク（WAN）を含む、請求項２５に記載のシステム。
【請求項４３】
前記広帯域ネットワークはアナログ電話網を含む、請求項２５に記載のシステム。
【請求項４４】
前記広帯域ネットワークはデジタル電話網を含む、請求項２６に記載のシステム。
【請求項４５】
前記広帯域ネットワークはインタネットを含む、請求項２５に記載のシステム。
【請求項４６】
前記広帯域ネットワークは、TCP/IPネットワーク・トラフィックを転送することができる、請求項２５に記載のシステム。
【請求項４７】
広帯域ネットワーク環境においてカスタマイズ可能な対話型コンピュータ・サービスを提供するシステムであって、
広帯域ネットワーク上でIPプロトコルを用いて通信し、外部コンピュータ・ネットワークに接続されたデータ供給源から情報を取り込み、取り込まれた情報を処理し、結果をローカルに表示デバイス上に選択的に表示するように構成されている複数のCPEデバイスを含むシステム。
【請求項４８】
前記広帯域ネットワーク環境はデジタル・ケーブル・テレビジョン環境である、請求項４７に記載のシステム。
【請求項４９】
前記広帯域ネットワーク環境はデジタル衛星テレビジョン環境である、請求項４７に記載のシステム。
【請求項５０】
前記CPEは持続記憶域を有さず、前記システムは、前記CPEに持続記憶サービスを提供するサーバ・コンピュータをさらに含む、請求項４７に記載のシステム。
【請求項５１】
ネットワーク帯域幅利用を最適化するサーバ・コンピュータをさらに含む、請求項４７に記載のシステム。
【請求項５２】
前記記憶されているカスタマイズされたアプリケーション参照は、前記帯域幅最適化サービスを構成するのに用いられる統計データを提供するために使用される、請求項５１に記載のシステム。
【請求項５３】
前記広帯域ネットワーク環境はゲーム・コンソール・ネットワーク環境である、請求項４７に記載のシステム。
【請求項５４】
前記広帯域ネットワーク環境はホーム・ゲートウェイ環境である、請求項４７に記載のシステム。
【請求項５５】
広帯域ネットワークを通じて取り込まれた複数のデータ供給源からのデータを表示する方法であって、前記データ供給源の少なくとも一方が、前記広帯域ネットワーク上でデータをブロードキャストするデータ供給源を含み、前記データ供給源の他方をユーザによってローカルに選択することができる方法において、
実行されたときに、前前記データ供給源の前記他方からデータを取り込むのを可能にするアプリケーションを表すデータ構造を前記広帯域ネットワーク上で受信するステップと、
前記データ構造を記憶するステップと、
前記アプリケーションを実行し、それによって前記データ供給源の前記他方からデータを受信するステップと、
前記データを表示できるようにフォーマットするステップと、
前記データを広帯域ネットワーク上でブロードキャストされたデータと一緒に表示するステップとを含む方法。